(57)【要約】【課題】使用者のモード選択により、回転モードと振動モードのいずれの動作も一つの装置で可能にしたクレンジングブラシ装置を提供する。【解決手段】本発明によるクレンジングブラシ装置は、回転運動の駆動源となるモータと、上記モータによる回転の伝達を受けて回転するメイン軸と、上記メイン軸と結合されて回転するメインギヤ部と、モードにより、上記メインギヤ部と連結して回転し、あるいは上記メインギヤ部との連結が解除されて回転が遮断する、回転伝達部と、上部に振動ブロックが備えてあり、上記メインギヤ部と連結して回転し、モードにより昇降する振動伝達部と、上記回転伝達部から伝達を受けた回転運動をブラシ側に伝達するか、あるいは上記振動伝達部が上昇するときに上記振動ブロックと連結されて上記振動ブロックの回転により発生する振動運動を上記ブラシ側に伝達する動力伝達部とを有する。【選択図】図４
2016002450.tif 000002
【特許請求の範囲】
【請求項１】
回転動力を発生させるモータと、
上記モータによる回転動力の伝達を受けて回転するメイン軸と、
上記メイン軸と結合されて回転するメインギヤ部と、
モードにより、上記メインギヤ部と連結して回転し、あるいは上記メインギヤ部との連結が解除されて回転が遮断する、回転伝達部と、
上部に振動ブロックを備え、上記メインギヤ部と連結して回転し、モードにより上昇又は下降する振動伝達部と、
上記回転伝達部から伝達を受けた回転運動をブラシ側に伝達し、上記振動伝達部が上昇するときには上記振動ブロックと連結されて上記振動ブロックの回転により発生する振動運動を上記ブラシ側に伝達する動力伝達部と
を有することを特徴とする、回転モード及び振動モードで作動可能なクレンジングブラシ装置。
【請求項２】
上記メイン軸は周囲にねじ山が形成されたスクリュー軸であり、
上記メインギヤ部は、上記メイン軸とネジ結合されることにより上記メイン軸の回転方向によって上昇又は下降が可能であって、
上記メインギヤ部が下降した状態からは上記回転伝達部と連結されて上記回転伝達部が回転可能となり、上記メインギヤ部が上昇した状態からは上記回転伝達部との連結が解除されて上記回転伝達部の回転が遮断されることを特徴とする、請求項１に記載の回転モード及び振動モードで作動可能なクレンジングブラシ装置。
【請求項３】
上記振動伝達部の下部には、上記メインギヤ部と連結される振動伝達ギヤが備えてあり、
上記メインギヤ部には上記振動伝達部に当接されるギヤ昇降板が備えてあり、
上記メインギヤ部が上昇するときに、上記ギヤ昇降板によって上記振動伝達部が上昇することを特徴とする、請求項２に記載の回転モード及び振動モードで作動可能なクレンジングブラシ装置。
【請求項４】
上記振動伝達部を下方に付勢するスプリングを含むことを特徴とする、請求項３に記載の回転モード及び振動モードで作動可能なクレンジングブラシ装置。
【請求項５】
上記の振動伝達部の振動ブロックの上部には、上記振動伝達部の回転によって偏心回転する偏心回転ブロックが備えられ、
上記動力伝達部の底面には、上記偏心回転ブロックが挿入可能な振動伝達ホールが形成されており、
上記振動伝達部が上昇して、上記偏心回転ブロックが上記動力伝達部の振動伝達ホールに挿入されると、上記偏心回転ブロックの偏心回転によって上記振動伝達部が振動することを特徴とする、請求項１に記載の回転モード及び振動モードで作動可能なクレンジングブラシ装置。
【請求項６】
上記動力伝達部の下部の中心には、回転伝達軸が連結されており、上記回転伝達軸には上記回転伝達部から回転運動の伝達を受ける中心回転伝達ギヤが備えてあり、上記回転伝達軸は分離板に支持された状態で回転可能となって、上記中心回転伝達ギヤが回転する際に上記分離板との凹凸面の接触による上下運動をすることになり、上記中心回転伝達ギヤの上下運動が上記回転伝達軸と上記動力伝達部を通じて上記ブラシ側に伝達されることを特徴とする、請求項１に記載の回転モード及び振動モードで作動可能なクレンジングブラシ装置。
【発明の詳細な説明】
【技術分野】
【０００１】
本発明は、クレンジングブラシ装置に関するものであり、特に使用者の選択により回転モード又は振動モードのいずれのモードでも動作可能なクレンジングブラシ装置に関する。なお、本明細書で用いる「クレンジング」とは、化粧や汚れ等を除去して顔面を清浄にすることを意味している。
【背景技術】
【０００２】
肌の保護や美容のために顔に施す化粧は、主にクレンジングクリーム、クレンジングオイル、クレンジングフォームなどの洗顔剤を使用して顔から拭き取る。しかし、このような洗顔剤を使用して化粧を落とす場合、時間もかかるし、拭き取り用の消耗品（紙、綿など）の使用により費用が掛かり環境汚染にもつながる。また、洗顔する際に、指で洗顔剤を顔に塗ったり、紙で拭き取ったりするので、指に洗顔剤や汚れがついて除去しなければならず不便である。
【０００３】
このため、下記の特許文献１及び特許文献２などのように、電動方式のブラシを作動させて洗顔過程を素早く行えるような技術が開示されている。しかしながら、従来のブラシ装置などでは、ブラシを回転させる方式またはブラシを振動させる方式のいずれか一つのモードでしか動作できないのが短所であった。
【先行技術文献】
【特許文献】
【０００４】
【特許文献１】大韓民国公開特許第１０−２０１４−０００７１４９号
【特許文献２】大韓民国公開特許第１０−２０１３−０１１９６０５号
【発明の概要】
【発明が解決しようとする課題】
【０００５】
本発明は、上記のような従来の技術的問題点を解決するためになされたものであり、その目的は、使用者のモード選択により回転させたり振動させたりできるように、回転モードと振動モードでの動作を可能にしたクレンジングブラシ装置を提供することである。
【課題を解決するための手段】
【０００６】
上記目的を達成するために、本発明による回転モード及び振動モードで作動可能なクレンジングブラシ装置は、回転動力を発生させるモータと、上記モータによる回転動力の伝達を受けて回転するメイン軸と、上記メイン軸と結合されて回転するメインギヤ部と、モードにより、上記メインギヤ部と連結して回転し、あるいは上記メインギヤ部との連結が解除されて回転が遮断する、回転伝達部と、上部に振動ブロックを備え、上記メインギヤ部と連結して回転し、モードにより上昇又は下降する振動伝達部と、上記回転伝達部から伝達を受けた回転運動をブラシ側に伝達し、上記振動伝達部が上昇するときには上記振動ブロックと連結されて上記振動ブロックの回転により発生する振動運動を上記ブラシ側に伝達する動力伝達部とを含む。
【０００７】
ここで、上記メイン軸は周囲にねじ山が形成されたスクリュー軸である。
【０００８】
上記メインギヤ部は、上記メイン軸とネジ結合されることにより上記メイン軸の回転方向によって上昇又は下降が可能になる。そして、上記メインギヤ部が下降した状態からは上記回転伝達部と連結されて上記回転伝達部が回転可能となり、上記メインギヤ部が上昇した状態からは上記回転伝達部との連結が解除されて上記回転伝達部の回転が遮断される。
【０００９】
また、上記振動伝達部の下部には、上記メインギヤ部と連結される振動伝達ギヤが備えてあり、上記メインギヤ部には上記振動伝達部に当接されるギヤ昇降板が備えてあり、上記メインギヤ部が上昇するときに、上記ギヤ昇降板によって上記振動伝達部が上昇できる。
【００１０】
また、上記振動伝達部を下方に付勢するスプリングを含むことができる。
【００１１】
そして、上記の振動伝達部の振動ブロックの上部には、上記振動伝達部の回転によって偏心回転する偏心回転ブロックが備えられ、上記動力伝達部の底面には、上記偏心回転ブロックが挿入可能な振動伝達ホールが形成されており、上記振動伝達部が上昇して、上記偏心回転ブロックが上記動力伝達部の振動伝達ホールに挿入されると、上記偏心回転ブロックの偏心回転によって上記振動伝達部が振動できる。
【００１２】
また、上記動力伝達部の下部の中心には、回転伝達軸が連結されており、上記回転伝達軸には上記回転伝達部から回転運動の伝達を受ける中心回転伝達ギヤが備えてあり、上記回転伝達軸は分離板に支持された状態で回転可能となって、上記中心回転伝達ギヤが回転する際に上記分離板との凹凸面の接触による上下運動をすることになり、上記中心回転伝達ギヤの上下運動が上記回転伝達軸と上記動力伝達部を通じて上記ブラシ側に伝達することが可能となる。
【発明の効果】
【００１３】
本発明によるクレンジングブラシ装置は、使用者のモード選択によってモータの回転方向が変わり、メインギヤ部が上昇又は下降してブラシを回転させたり振動させたりする動作を実行させることが可能になった。従って、ブラシの回転モードにより泡を豊富に発生させることが出来る泡立て機能はもちろんのこと、ブラシの上下左右振動による振動モードによりクレンジング作業もより効率的に行うことが可能となった。
【図面の簡単な説明】
【００１４】
【図１】図１は、本発明の実施の形態によるクレンジングブラシ装置を説明するための斜視図である。
【図２】図２は、図１に示すクレンジングブラシ装置からケースやキャップを除去した状態で示す斜視図である。
【図３】図３は、図１に示すクレンジングブラシ装置の回転−振動変換部を説明するための内部構成図である。
【図４】図４は、図１に示すクレンジングブラシ装置が回転モードで作動するための作用を説明するための図である。
【図５】図５は、図１に示すクレンジングブラシ装置が振動モードで作動するための作用を説明するための図である。
【図６】図６は、図１に示すクレンジングブラシ装置における、動力伝達部の振動伝達ホールと、振動伝達部の振動ブロックとの結合関係を説明するための図である。
【図７】図７は、本発明の他の実施の形態によるクレンジングブラシ装置の作用を説明するための概略図である。
【発明を実施するための形態】
【００１５】
以下、本発明の実施の形態を、図面を参照して説明する。なお、本発明の目的とは関係がない部分の構成についての説明は省略あるいは概略するが、説明を省略した構成であっても必ずしも本発明に必要のない構成ではなく、本発明が属する技術分野の通常の知識を有する者はそのような構成を結合させることにより本発明を実施できる。
【００１６】
図１は、本発明の実施の形態によるクレンジングブラシ装置を説明するための斜視図である。図１に示すように、本発明の実施の形態によるクレンジングブラシ装置１００は、内部に他の構成部品が内蔵されており、使用者が操作するために把持するケース１０１と、ケース１０１の上部に装着される第１のキャップ１０２と第２のキャップ１０３とを含む。
【００１７】
第１のキャップ１０２は、洗顔剤を入れて泡立てる（フォーミング）ための一種の多用途カップである。すなわち、洗顔剤（パウダーなど）を第１のキャップ１０２に入れ、水などの液体を入れた後、クレンジングブラシ装置１００の回転モードを作動させ、ブラシ１１１（図２参照）を第１のキャップ１０２に入れて回転させると、泡が発生する。第１のキャップ１０２は、クレンジングブラシ装置１００の付属品として別途備えることも出来るし、ケース１０１に着脱可能な形状に製作してもよい。
【００１８】
第２のキャップ１０３は、ブラシ１１１（図２参照）を保護する蓋として機能する。通常、ブラシ１１１は使用後、濡れた状態で逆さまにして乾燥させるが、このとき、通風孔が形成された第１のキャップ１０３をブラシ１１１に被せた状態でケース１０１を逆さまに立てると、第２のキャップ１０３は、ケース１０１のスタンドとして機能する。
【００１９】
図２は、図１に示されたクレンジングブラシ装置１００から、ケース１０１と第１のキャップ１０２と第２のキャップ１０３とを除去して、内部の構成を示した図である。図２に示すように、クレンジングブラシ装置１００は、上部にブラシ部１１０が設けられ、その下に第１の分離板１２１、第２の分離板１２２、及び第３の分離板１２３が、それぞれ少し間隔を置いて設けられており、それぞれの分離板１２１、１２２、及び１２３の間に動力伝達のための構成などが設けられている。
【００２０】
図３は、本発明の実施の形態によるクレンジングブラシ装置１００における動力伝達のための回転−振動変換部１３０の構成を説明するために、図２に示した分離板１２１、１２２、１２３などを除去した状態で、クレンジングブラシ装置１００を示した斜視図である。また、図４は、クレンジングブラシ装置１００の回転モードにおける動作を説明するための概略的な断面図である。
【００２１】
図２に示すように、第１の分離板１２１の上部に、ブラシ部１１０が装着されている。図３及び図４に示すように、ブラシ部１１０は、肌に密着させて刺激を与えるブラシ１１１と、ブラシ１１１に回転力又は振動を伝達するための動力伝達部１１２を含む。動力伝達部１１２は円板形状であり、その下部の中心に第２の回転伝達軸１１４が結合されていて、第２の回転伝達軸１１４は第１の分離板１２１の中心を貫通して第２の分離板１２２の上部の中心に支持されている。また、第２の回転伝達軸１１４には中心回転伝達ギヤ１１５が設けられており、中心回転伝達ギヤ１１５は第１の分離板１２１と第２の分離板１２２との間に位置している。
【００２２】
このようなブラシ部１１０は、モータ１５２から回転動力の伝達を受け、選択されたモードにより異なる状態で作動する回転−振動変換部１３０により、回転モードあるいは振動モードとして作動する。
【００２３】
最下部に位置するモータ１５２は、電源供給部（図示せず）から電源の供給を受けて、回転動力を発生させるが、電源供給部から供給される電源の極性によって回転方向を変えることができる。モータ１５２から発生する回転動力は、減速ギヤ１５１を介して回転−振動変換部１３０のメイン軸１３１に伝達される。図４以降では、説明の便宜のために、減速ギヤ１５１は図示せず、モータ１５２とメイン軸１３１とが直接連結された状態で図示することにより説明を行う。
【００２４】
回転−振動変換部１３０は、大略、メイン軸１３１、メインギヤ部１３４、回転伝達部１３８及び振動伝達部１４２を含む。
【００２５】
メイン軸１３１の上部は、第２の分離板１２２（図２参照）の下部中心に支持され、メイン軸１３１の下部は、第３の分離板１２３を貫通してモータ１５２側と連結されている。また、メイン軸１３１は、その周囲に高低によってねじ山が形成されているスクリュー軸であり、形成されたねじ山の上部と下部にはそれぞれ上部係止リング１３２と下部係止リング１３３とが固定されている。
【００２６】
メイン軸１３１のねじ山にはメインギヤ部１３４がねじで結合されているので、メイン軸１３１の回転方向によってメインギヤ部１３４は上昇または下降が可能となる。図４は、メインギヤ部１３４が下降した状態を示している。
【００２７】
メインギヤ部１３４では、同一の回転軸上で回転する上部メインギヤ１３５と下部メインギヤ１３７とが上下に対向して設けられており、上部メインギヤ１３５と下部メインギヤ１３７との間には、周縁がこれらのギヤの外周に沿って張り出しているギヤ昇降板１３６が設けられている。
【００２８】
図４に示すように、メインギヤ部１３４の左側に位置する回転伝達部１３８（図３参照）は、上部は第１の分離板１２１に支持され、その下部は、第３の分離板１２３に支持される第１の回転伝達軸１３９を有し、第１の回転伝達軸１３９の上部と下部にはそれぞれ上部回転伝達ギヤ１４０と下部回転伝達ギヤ１４１とが設けられている。具体的には、上部回転伝達ギヤ１４０は第１の分離板１２１と第２の分離板１２２との間に位置しており、動力伝達部１１２と結合された中心回転伝達ギヤ１１５と噛みあうようになっている。下部回転伝達ギヤ１４１はメインギヤ部１３４の下部メインギヤ１３７と噛みあうようになっている。ここで、メインギヤ部１３４は、メイン軸１３１の回転方向によって昇降が可能になるため、メイン軸１３１における位置によって、下部回転伝達ギヤ１４１と下部メインギヤ１３７とが連動（噛合）とかい離を繰り返すことが出来る。
【００２９】
図４に示すように、メインギヤ部１３４の右側に位置する振動伝達部１４２（図３参照）は、上部に偏心回転ブロック１４８が突出して設けられた振動ブロック１４７を備えており、下部には振動伝達ギヤ１４４が設けられている振動伝達軸１４３を含む。ここで、振動伝達部１４２は、メインギヤ部１３４の昇下降と共に昇下降できる構造となっているので、振動伝達部１４３の上部と下部は、第１の分離板１２１、第２の分離板１２２及び第３の分離板１２３のいずれにも支持されていない。すなわち、すなわち、振動伝達軸１４３の上部に設けられた振動ブロック１４７は、第１の分離板１２１の上部に位置しており、振動伝達軸１４３の下部は、第３の分離板１２３を貫通した状態で支持されているので、自由に回転と昇降ができる。
【００３０】
振動伝達軸１４３の下部に設けられた振動伝達ギヤ１４４の上部には、スプリング係止リング１４５が設けられており、スプリング係止リング１４５と第２の分離板１２２との間にはスプリング１４６が設けられている。スプリング１４６の両端は、それぞれ第２の分離板１２２とスプリング係止リング１４５との間に支持されており、振動伝達部１４２全体は、スプリング１４６によって下方に付勢されている。
【００３１】
以上、クレンジングブラシ装置１００の各構成について説明したが、以下に図４及び図５を参照して回転−振動変換部１３０の各異なるモードでの動作の過程を説明することにより、これらの構成はより具体的にされるであろう。
【００３２】
まず図４を参照して説明すると、使用者がケース１０１（図１参照）に備えたスイッチ部（図示せず）を回転モード（泡たて）に操作すると、モータ１５２から回転動力が出力され、この回転動力は減速ギヤ１５１（図３参照）を介してメイン軸１３１に伝達されることにより、メイン軸１３１が正回転する。ここで、メイン軸１３１の正回転及び逆回転の定義は、メイン軸１３１に形成されたねじ山の状態によって異なる場合があるが、本実施の形態においては、ブラシ１１１からメイン軸１３１を見下ろした時に、メイン軸１３１が反時計回りに回転する場合を正回転と仮定する。
【００３３】
メイン軸１３１の正回転により、メインギヤ部１３４は、ネジの結合構造から締付け方向の相対運動が作用して下降することになる。また、振動伝達部１４２にはスプリング１４６が設けられており、振動伝達部１４２全体が下降するための力が作用するが、このとき振動伝達ギヤ１４４にもやはり下方に力が作用するために、振動伝達ギヤ１４４によってメインギヤ部１３４のギヤ昇降板１３６が下方に押されるので、下降動作を円滑に行うことができる。
【００３４】
もちろん、ネジ結合構造のために、結合対象などは相対運動をしなければならないが、本実施の形態によれば、メイン軸１３１は正回転をしており、メインギヤ部１３４のギヤ昇降板１３６は振動伝達ギヤ１４４によって下方に加圧されているために回転が妨害される状態になる。すなわち、振動伝達ギヤ１４４の加圧によって、メインギヤ部１３４の回転が妨害される状態により、メイン軸１３１が回転すると相対運動が可能になってネジ係合構造の締付け作用が十分に可能なことになり、これによってメインギヤ部１３４が下降することになる。
【００３５】
メインギヤ部１３４がメイン軸１３１の下部係止リング１３３まで下降すると、メインギヤ部１３４は下部係止リング１３３に係止されてこれ以上下降することはできず、メインギヤ部１３４はメイン軸１３１に締結された状態でメイン軸１３１の回転と共に反時計回りに回転することになる。
【００３６】
このとき、メインギヤ部１３４の下部メインギヤ１３７は、回転伝達部１３８の下部回転伝達ギヤ１４１と噛み合う状態になるので、メインギヤ部１３４の回転力は上部回転伝達ギヤ１４０にも伝達され、上部回転伝達ギヤ１４０と噛み合う中心回転伝達ギヤ１１５が回転するために、動力伝達部１１２が回転することになる。従って、ブラシ１１１が回転モードで作動することになる。
【００３７】
メインギヤ部１３４が下降すると、ギヤ昇降板１３６が共に下降して、振動伝達ギヤ１４４が受けていた力が解除されるが、振動伝達部１４２全体は、スプリング１４６の張力によって、メインギヤ部１３４と共に下降することにより、上部メインギヤ部１３５と振動伝達ギヤ１４４の噛み合う状態が常に維持される。すなわち、振動伝達ギヤ１４４は、メインギヤ部１３４の回転によって常に振動伝達軸１４３の上部の振動ブロック１４７と回転することになるが、メインギヤ部１３４が下降した状態からは、図４に示したように、振動ブロック１４７が動力伝達部１１２から離れた状態になる。従って、振動ブロック１４７の回転は、動力伝達部１１２に何の影響も与えない。
【００３８】
もし、使用者がケース１０１に備えたスイッチ部（図示せず）を操作して振動モードを選択すると、モータ１５２に供給される電源の極性が変わり、メイン軸１３１は逆回転（時計回り）することになる。図５に示すように、メイン軸１３１の逆回転によって、メインギヤ部１３４部は、そのネジ結合構造から緩める方向の相対運動が作用して上昇することになる。すなわち、メイン軸１３１が正回転しているときは、メイン軸１３１とメインギヤ部１３４が締付ける方向への回転となるため、メインギヤ部１３４が最下部へ下降した状態以降は、メイン軸１３１とメインギヤ部１３４とが一緒に正回転するが、振動伝達ギヤ１４４がギヤ昇降板１３６を一定水準に加圧して回転を妨害している状態からメイン軸１３１が逆回転に転じると、メイン軸１３１とメインギヤ部１３４との締結状態が緩まり、締結状態から開放されて以降は、ネジ結合構造による緩める方向の相対運動によりメインギヤ部１３４が上昇することになる。
【００３９】
メインギヤ部１３４は、メイン軸１３１にある上部係止リング１３２に係止されるまで上昇することになり、以降はメイン軸１３１とともに逆回転することになる。これにより、下部メインギヤ１３７と下部回転伝達ギヤ１４１の歯車の噛み合いが解放され、これによって、回転伝達部１３８にはメインギヤ部１３４の回転力が伝達されなくなる。
【００４０】
一方、メインギヤ部１３４が上昇する際にギヤ昇降板１３６が振動伝達部１４２の振動伝達ギヤ１４４を一緒に押し上げることになるため、これによって、振動伝達部１４２全体が上昇しながら振動ブロック１４７の偏心回転ブロック１４８を動力伝達部１１２の底面に密着させる。
【００４１】
図６は、動力伝達部１１２と振動伝達部１４２の振動ブロック１４７との結合関係を説明するための図である。図６に示すように、動力伝達部１１２の底面には、振動ブロック１４７の偏心回転ブロック１４８が挿入できる振動伝達ホール１１３が放射状に複数形成されている。偏心回転ブロック１４８は、振動ブロック１４７の回転中心から離れた位置に突出形成されているために、偏心回転ブロック１４８が動力伝達部１１２の底面に形成された複数の振動伝達ホール１１３のいずれか一つの振動伝達ホール１１３に挿入された状態で回転すると、動力伝達部１１２が所定の角度範囲から正逆回転を繰り返しながら振動を行う。
【００４２】
すなわち、回転伝達部１３８の回転が止まった状態で、動力伝達部１１２には振動伝達部１４２による振動運動だけが伝達されるために、ブラシ１１１が振動モードで作動できる。
【００４３】
以上詳細に説明したが、本発明の核心は、メイン軸１３１の回転方向によって、メインギヤ部１３４が下降または上昇することにより、ブラシ１１１側へ回転運動を伝達するか、または振動運動を伝達するか、ということである。その際、スクリュー軸であるメイン軸１３１の回転によってメインギヤ部１３４が上昇又は下降時には、メインギヤ部１３４のギヤ昇降板１３６に振動伝達部１４２のスプリング１４６の張力が加わることで、回転が妨害されてメインギヤ部１３４とメイン軸１３１が相対運動を可能にさせるというメカニズムを説明した。
【００４４】
さらに、メインギヤ部１３４は、回転伝達部１３８及び振動伝達部１４２などの他の構成などと噛み合っているために、一転水準以上の負荷が常にかかっている。従って、他の構成などの負荷によってメインギヤ部１３４が一定の力によって支持されている状態から、メイン軸１３１が正回転または逆回転すると、メイン軸１３１とメインギヤ部１３４とが十分な相対運動が可能となる。また、本発明によるクレンジングブラシ装置１００（図１参照）は、ブラシ１１１が肌に接触された状態で使用されるのが一般的なので、ブラシ１１１が肌と接触しながら発生する負荷が、メインギヤ部１３４まで影響を与え、メインギヤ部１３４が支持された状態で相対運動して昇下降が可能になり、最上部または最下部まで移動した状態以降は、ネジ結合運動が不可能な状態になり、締め力によってメイン軸１３１とメインギヤ部１３４とが一緒に回転する状態に移行する、という原理が明らかになる。
【００４５】
図７は、本発明の他の実施形態によるクレンジングブラシ装置を説明するための概略的な断面図である。
【００４６】
図７に示されたクレンジングブラシ装置は、回転モードと振動モードはもちろんのこと、ブラシ２１１の上下運動モードをも可能にする構造に設計されたものである。
【００４７】
すなわち、動力伝達部２１２の下部中心に結合された第２の回転伝達軸２１４に中心回転伝達ギヤ２１５が装着されているが、中心回転伝達ギヤ２１５の底面には、凹凸面２１５ａが形成されている。また、中心回転伝達ギヤ２１５の底面を支持する第２の分離板２２２には、中心回転伝達ギヤ２１５の凹凸面２１５ａに対応する凹凸面２２２ｂが形成されている。
【００４８】
従って、回転伝達部２３８の回転によって中心回転伝達ギヤ２１５が回転されると、回転する中心回転伝達ギヤ２１５の回転力が動力伝達部２１２を介してブラシ２１１に伝達される。このとき、凹凸面２１５ａと凹凸面２２２ｂとの溝が互いに素早く交差されるために、中心回転伝達ギヤ２１５を含む動力伝達部２１２とブラシ２１１との全体が上下に激しく動きながら上下運動モードで作動する。このとき、中心回転伝達ギヤ２１５の上部には、両端が第１の分離板２２１と中心回転伝達ギヤ２１５とに支持されて弾性力を発生させる上下スプリング２１６が取り付けられている。従って、中心回転伝達ギヤ２１５が上昇しても、上昇した状態を維持するのではなく、上下スプリング２１６の張力により凹凸面２１５ａと凹凸面２２２ｂとの間をより接近させるような力を受けており、凹凸面２１５ａと凹凸面２２２ｂとの交差による上下運動が円滑になる。
【００４９】
図７に示された他の構成など、すなわち、ブラシ部２１０、ブラシ２１１、動力伝達部２１２、振動伝達ホール２１３、第２の回転伝達軸２１４、中心回転伝達ギヤ２１５、上下スプリング２１６、第１の分離板２２１、第２の分離板２２２、回転−振動変換部２３０、メイン軸２３１、メインギヤ部２３４、上部メインギヤ２３５、ギヤ昇降板２３６、下部メインギヤ２３７、回転伝達部２３８、第１の回転伝達軸２３９、上部回転伝達ギヤ２４０、下部回転伝達ギヤ２４１、振動伝達部２４２、振動伝達軸２４３、振動伝達ギヤ２４４、振動ブロック２４７、偏心回転ブロック２４８及びモータ２５２については、先に説明した実施の形態の同一の名称の機能説明を通じて十分に理解可能であると考えるので、重複した説明は避けることとする。
【００５０】
以上詳細に説明したように、本発明によるクレンジングブラシ装置１００は、使用者のモード選択によりモータ１５２の回転方向を変えることによってメインギヤ部１３４が上昇又は下降し、ブラシを回転させる動作及びブラシを振動させる動作のどちらも行うことができる。すなわち、泡を発生させるフォーミング作業はもちろんのこと、振動を通じてクレンジング作業も効率的に行うことができる。
【００５１】
上記した本発明による好適な実施の形態は例示のために開示されたものであり、本発明の分野において通常の知識を有する同業者であれば、本発明の思想及びその範囲において、多様な修正・変更及び付加が可能であり、このような修正・変更及び付加は、本発明の特許請求の範囲に属するとみなければならない。
【符号の説明】
【００５２】
１００  クレンジングブラシ装置
１０１  ケース
１０２  第１のキャップ
１０３  第２のキャップ
１１０、２１０  ブラシ部
１１１、２１１  ブラシ
１１２、２１２  動力伝達部
１１３、２１３  振動伝達ホール
１１４、２１４  第２の回転伝達軸
１１５、２１５  中心回転伝達ギヤ
２１５ａ  凹凸面
２１６  上下スプリング
１２１、２２１  第１の分離板
１２２、２２２  第２の分離板
２２２ｂ  凹凸面
１２３  第３の分離板
１３０、２３０  回転−振動変換部
１３１、２３１  メイン軸
１３２  上部係止リング
１３３  下部係止リング
１３４、２３４  メインギヤ部
１３５、２３５  上部メインギヤ
１３６、２３６  ギヤ昇降板
１３７、２３７  下部メインギヤ
１３８、２３８  回転伝達部
１３９、２３９  第１の回転伝達軸
１４０、２４０  上部回転伝達ギヤ
１４１、２４１  下部回転伝達ギヤ
１４２、２４２  振動伝達部
１４３、２４３  振動伝達軸
１４４、２４４  振動伝達ギヤ
１４５  スプリング係止リング
１４６  スプリング
１４７  ２４７  振動ブロック
１４８、２４８  偏心回転ブロック
１５１  減速ギヤ
１５２、２５２  モータ
【図１】
2016002450.tif 000003
【図２】
2016002450.tif 000004
【図３】
2016002450.tif 000005
【図４】
2016002450.tif 000006
【図５】
2016002450.tif 000007
【図６】
2016002450.tif 000008
【図７】
2016002450.tif 000009